(57)【特許請求の範囲】
【請求項１】
矩形の板状部材の両側長辺に２ヶ所ずつ係合部２１を切欠形成した組子片２の各係合部２１に、片側長辺に２ヶ所の係合部２１を切欠形成した組子片２の係合部２１を、各係合部２１を中心に各端部が同一円上に１２０°間隔となるように係合逃げを持たせて順次組み合わせていくことによって形成した２０個の正六角形組子３１に、片側に一の係合部２１が突出した連結用の組子片２を組み込んでおくことにより、１２個の正五角形の孔があくように連結して球体に形成したものであって、該正六角形組子３１は連結用の組子片２と共に、各係合部２１同士を係合させた部分に接着剤を塗布した状態で球面状の凹部を形成した治具５と凹状板５１に挟み込んで球面の一部を形成するように湾曲させた球面状正六角形組子３に形成したことを特徴とする組子飾り。
【請求項２】
球面状正六角形組子３の正五角形の孔４を形成する辺に直交する組子片２は、係合しない係合部２１を省いたもので該球面状正六角形組子３を構成する組子片２より短い短尺とした請求項１記載の組子飾り。
【請求項３】
球面状正六角形組子３により形成した正五角形の孔４の一つに、これに内接する突部６１を備えた台座６を設ける請求項１記載の組子飾り。
【請求項４】
球面状正六角形組子３により形成した正五角形の孔４に、該孔４に内接する正五角形の枠体９１に別体の正六角形組子３１を正五角形に切削して内在させて嵌め込んだ請求項１記載の組子飾り。
【請求項５】
少なくとも一つの孔を構成する正六角形組子３１の辺は、該辺で形成する正五角形に外接する円の円弧に切削したものである請求項１記載の組子飾り。
【請求項６】
円形の孔４１に、これに内接する突部６１を備えた台座６を設ける請求項５記載の組子飾り。
【請求項７】
円形の孔４１に、該孔４１に内接するリング８１に別体の正六角形組子３１を円形に切削して内在させて嵌め込んだ請求項５記載の組子飾り。
【請求項８】
矩形の板状部材の両側長辺に２ヶ所ずつ係合部２１を切欠形成した組子片２の各係合部２１に、片側長辺に２ヶ所の係合部２１を切欠形成した組子片２の係合部２１を、各係合部２１を中心に各端部が同一円上に１２０°間隔となるように係合逃げを持たせて順次組み合わせていくことによって片側に一の係合部２１が突出した連結用の組子片２を組み込んだ正六角形組子３１を形成して、該正六角形組子３１を連結用の組子片２と共に、各係合部２１同士を係合させた部分に接着剤を塗布した状態で球面状の凹部を形成した治具５と凹状板５１に挟み込んで球面の一部を形成するように湾曲させた２０個の球面状正六角形組子３を、１２個の正五角形の孔があくように連結して球体に形成し、少なくとも一つの正五角形の孔を円形に切削したことを特徴とする組子飾り。
【請求項９】
円形の孔４１に、これに内接する突部６１を備えた台座６を設ける請求項８記載の組子飾り。
【請求項１０】
円形の孔４１に、該孔４１に内接するリング８１に別体の正六角形組子３１を円形に切削して内在させて嵌め込んだ請求項８記載の組子飾り。
【請求項１１】
円形の孔４１に、台座６に備えた該孔４１に内接する円柱状突部６１を挿通し、内部に突出した該円柱状突部６１の外周に二つ割り弾性リング６２を嵌着すると共に台座６の上部に照明機器７を配設し、該照明機器７を該円柱状突部６１の外周に支持した光透過性筒体７４で被覆した請求項８記載の組子飾り。
【発明の詳細な説明】
【０００１】
【発明の属する技術分野】
本発明は、日本家屋の伝統的技法である組子の三つ組手細工を活用して形成した球面状殻体からなる球体に関し、床の間飾り、行燈、天井などから吊す部屋の照明機器等に利用する、組子飾りである。
【０００２】
【従来の技術】
組子とは、縦横又は斜めに組み合わせた格子のことであり、板状体の長手方向の一側若しくは両側に切欠によって形成した係合部同士を、相互に嵌め込むことによって形成する幾何学的模様である。組子を形成する組子片としては、一般的には、木、竹、金属製のものがある。
【０００３】
【発明が解決しようとする課題】
組子は、一般的にかまちに設けることによって格子を形成するもので、例えば、障子、扉、欄間など、開口部を装飾するものとして広く用いられている。ところが、従来より組子は平面的な幾何学模様を形成するものとして捉えられており、各種建具の一部に装飾を施すための手段として利用されているに過ぎないのが実情であった。
【０００４】
【課題を解決するための手段】
そこで本発明者は、上記問題に鑑み鋭意研究の結果、本発明を成し得たものであり、その特徴とするところは、一片に２ヶ所の係合部を形成した数種の組子片を、各係合部に１２０゜間隔で３つずつ組み合わせていくことによって正六角形組子を形成して、球面の一部を形成するように湾曲させた２０個の球面状正六角形組子を、１２個の正五角形の孔があくように連結して球体に形成したこと。
【０００５】
或いは、一片に２ヶ所の係合部を形成した数種の組子片を、各係合部に１２０゜間隔で３つずつ組み合わせていくことによって正六角形組子を形成して、球面の一部を形成するように湾曲させた２０個の球面状正六角形組子を、１２個の正五角形の孔があくように連結して球体を形成し、少なくとも一つの正五角形の孔を円形の孔に切削したことにある。
【０００６】
ここで、本明細書中でいう組子片とは、組子飾りを形成するためのパーツであって、相互に組み合わせていくために一つの片に２ヶ所の係合部を設けたものをいう。本発明においては、各係合部に１２０゜間隔で３つの組子片を三つ組手細工により組み合わせていくことによって正六角形組子にする。このため、係合部の形状によって数種の組子片が必要となる。一片に２ヶ所の係合部を設けるということは、一片の一端側と他端側の２ヶ所に設けることである。この場合、一端側や他端側の各箇所において左右のいずれか一方にのみ設けたり、左右両方に設ける場合がある。材質としては、杉、松、桧等の木などの他、プラスチックや厚紙などでもよい。
【０００７】
組子片で正六角形組子を形成した後、これを球面の一部を形成するように湾曲させる。この場合の球面の一部とは、２０個の正六角形組子を１２個の正五角形の孔があくように連結することによって形成される球体の外周面に沿う湾曲面を持つ形態に形成することである。このように正確に球面の一部を形成するように湾曲させるのが好ましいが、本発明の最大の目的は、正六角形組子を構成する組子片と外形がほとんど同じ組子片で正六角形組子同士を連結させることにある。従って、正六角形組子同士を連結するための組子片が、連結不能となったり、異様に飛び出したりしない程度に湾曲させればよい。
【０００８】
正六角形組子を湾曲させる方法としては、例えば球面状の凹部を形成した治具に、正六角形組子を沿わせ、予め各係合部にガタつかない程度の範囲で形成した係合逃げ（組手のゆとり）を活用して変形させることで、各正六角形組子を均一な球面状にすることができる。このようにして成形した２０個の球面状正六角形組子を、１２個の正五角形の孔があくように連結して、ほぼ完全な形の球体の本発明に係る組子飾りが完成する。
【０００９】
正六角形組子は、基本的に２種類の組子片で形成することができる。しかし、正六角形組子同士の連結には、少なくとももう一種類の組子片が必要となる。また、球面状正六角形組子を連結して形成される正五角形の孔の周辺は、長尺の組子片が突出した状態となるため、この部分は一片に１箇所の係合部だけを設けた短尺の組子片を組み合わせて始末した方が、意匠的にも見映えがよくなり好ましい。この場合の短尺の組子片は少なくとも２種類必要である。
【００１０】
本発明に係る組子飾りは、数種の組子片を連続的に組み合わせていくことによって、ほぼ完全な球体に形成したものであることから、このままでも充分鑑賞に堪える装飾品となる。また、１２個の孔があいていることから、この内の一つに台座を設けてもよい。この他、孔に花を生ける容器を入れて花瓶として使用したり、内部に電球を入れて照明器具として利用する方法もある。
【００１１】
正五角形の孔は、意匠的見地から円形、楕円形、四角形やその他の形状に任意に加工変更することは自由である。例えば、円形孔を形成する場合には、球体を組み立て完了した状態で現出される正五角形の孔を削って円形の孔にする。この場合の円形の孔は、通常、正五角形の孔を形成する球面状正六角形組子の各辺を円弧に削って形成するが、それより大きく削ることも任意である。また、球体組み立て前の正六角形組子を、正五角形の孔を構成する辺の少なくとも一つの辺を予め円弧に切削しておいてもよい。この円弧は、該正六角形組子の辺で形成する正五角形に外接する円の円弧である。この円弧によって、円形の孔が形成されることになる。例えば、一つおきの辺を円弧に切削した正六角形組子を球面の一部を形成するように湾曲させ、非切削の辺同士を連結することで、１２個の円形の孔があいた球体となる。
【００１２】
円形の孔には、別に成形した球面状正六角形組子を円形に削り加工して嵌め込む。この場合、円形の孔に内接するリングを用い、このリングの中に別体の正六角形組子を円形に切削して嵌め込む。リングの中に嵌め込む円形に切削した組子は、球面状正六角形組子と同じように球面状に湾曲成形すると凹凸のない球体を形成できるが、平面状のままでもよい。また、円形の孔の一つには、台座を嵌め込んでもよい。
【００１３】
さらに、正五角形の孔にも別に成形した球面状正六角形組子を嵌め込むようにしてもよい。この場合の嵌込部材としては、正五角形の孔に内接する正五角形の枠体を用い、該枠体の中に別体の正六角形組子を正五角形に切削したものを嵌め込んで形成する。円形の孔や正五角形の孔を嵌込部材で蓋する場合、該嵌込部材に任意形状の小窓を開けるようにしてもよい。また、嵌込部材は上段位置の孔のみとか、下段位置の孔のみとか必要に応じて意匠変化を選択することができる。
【００１４】
【発明の実施の形態】
以下、本発明を図面に示す発明の実施の形態に基づいて詳細に説明する。
【００１５】
図１は本発明に係る組子飾り１の実施の形態の一例を示すもので、組子片２を組み合わせて形成した２０個の球面状正六角形組子３を、１２個の正五角形の孔４があくように連結して形成した球体である。
【００１６】
組子飾り１は、図２（ａ）の（イ）〜（ヘ）に示すような組子片２を組み合わせて形成する。基本的な構成要素である正六角形組子３１は、（イ）と（ロ）の２種の組子片２で組み、同図（ｂ）のように一片に２ヶ所設けた係合部２１に１２０゜間隔で３つずつ組み合わせ、所謂三つ組手細工という技法で組み合わせていく。正六角形組子３１の各辺は、図３のように接続する辺と接続することなく正五角形の孔４を形成する辺が交互になる。接続する辺には、（イ）で連続して連結していくが、（イ）で連結できない箇所は（ニ）の組子片２を用いて他の球面状正六角形組子３と連結する。また、正五角形の孔４を形成する辺には、（ホ）と（ヘ）の係合部２１が１ヶ所だけの短尺の組子片２を組み合わせる。本例では、接続用の組子片２として（ニ）を用いて５種類の組子片２で組子飾り１を形成しているが、球面状正六角形組子３の接続方法によっては、（ハ）の組子片２も用いる場合がある。
【００１７】
組み上げた正六角形組子３１の各係合部には、それぞれ予め各係合部に形成したガタつかない程度の範囲の係合逃げ（組手のゆとり）を設けている。この係合逃げを活用して組み上げた正六角形組子３１を、図４のように球面状の凹部を形成した治具５に沿わせて、球面状正六角形組子３に形成する。この場合、係合部２１部分に接着剤を塗布しておいて固着させる。本例では、該正六角形組子３１を治具５に沿わせるため、凹状板５１で挟んで螺子５２で押圧させるようにしている。このようにして形成した球面状正六角形組子３を上述したように連結して組子飾り１が完成する。
【００１８】
組子飾り１は、例えば図５のように照明機器（行燈）として使用する。本例では底に照明機器７を設けた台座６を取り付けている。台座６は円柱状の突部６１を設けたもので、これを正五角形の孔を円形に加工した孔に嵌め込み、二つ割りの弾性リング６２を用いて支持する。照明機器７は、突部６１の上部に電源コード７１付きの照明用ソケット７２を設け、該ソケット７２に照明ランプ７３を取り付けたものである。また、照明ランプ７３を覆う紙等で形成された光透過性の筒体７４を、突部６１の外周に支持させている。これにより照明ランプ７３の灯りが筒体７４で仄かな灯りに変じ、更に各組子の隙間若しくは正五角形の孔４から灯りが漏れる雰囲気の行燈態様に構成することにより、床の間等の飾りとして極めて有効となる。さらに、同様の考え方から天井から吊す照明機器として使用してもよい。この場合には、照度の関係から筒体７４は省略してもよい。二つ割りの弾性リング６２を用いることにより、台座６の組込み・分解が容易で且つ支持が安定する利点がある。
【００１９】
図６（ａ）は、本発明に係る組子飾り１の実施の形態の他の例を示すもので、正五角形の孔４を円形の孔４１にして、この孔４１に別に成形した球面状正六角形組子３を嵌め込んだものである。円形の嵌込部材８は同図（ｂ）のように円形の孔に内接するリング８１に別体の正六角形組子を円形に切削して嵌め込んだものである。円形の孔４１にするには、球体を組み立て完了した状態で現出される正五角形の孔４の各辺を切削して円形の孔４１に形成する。また、別の方法として図７のように正六角形組子３１の一つおきの辺を、該辺で形成する正五角形に外接する円の円弧に予め切削してもよい。これを球面状に湾曲させたものを２０個で球体を形成すれば、１２個の円形の孔４１があくことになる。本例では、１２個の孔のすべてを円形にしているが、正六角形組子３１の辺を円弧に切削する数を調整することで、任意の数にすることができる。
【００２０】
また、本発明に係る組子飾り１の実施の形態のさらに他の例として、図８の正五角形の嵌込部材９を、図１に示した組子飾り１の正五角形の孔４に嵌め込んでもよい。正五角形の嵌込部材９は、正五角形の孔４に内接する正五角形の枠体９１に、正六角形組子を正五角形に切削して嵌め込んだものである。
【００２１】
【発明の効果】
以上のように本発明に係る組子飾りは、一片に２ヶ所の係合部を形成した数種の組子片を、各係合部に１２０゜間隔で３つずつ組み合わせていくことによって正六角形組子を形成して、球面の一部を形成するように湾曲させた２０個の球面状正六角形組子を、１２個の正五角形の孔があくように連結して球体に形成したことにより、立体的な組子模様による極めて装飾性の高い置物を提供することができる。そして、球体のほぼ全体を組子片で覆うことで、組子模様だけでなく、組子による隙間の美しさも表現することができる。
【００２２】
また、正五角形の孔を円形に削り、円形の嵌込部材を嵌め込んで蓋をすることにより、新たな組子模様の変化を創出させることが可能となる。さらに、本発明に係る組子飾りは、内部に照明機器を設けることで組子独特の美しさを持った照明装置とすることができるなど極めて有益な効果を有するものである。
【図面の簡単な説明】
【図１】本発明に係る組子飾りの実施の形態の一例を示す斜視図である。
【図２】（ａ）は本発明に係る組子飾りを構成する組子片の一例を示す平面図、（ｂ）は組子片を組み合わせる状態を示す分解斜視図である。
【図３】正六角形組子を接続する状態の実施の形態の一例を示す平面図である。
【図４】正六角形組子を球面状に湾曲させる方法の実施の形態の一例を示す断面図である。
【図５】本発明に係る組子飾りの使用状態の一例を示す側面図である。
【図６】（ａ）は本発明に係る組子飾りの実施の形態の他の例を示す斜視図、（ｂ）は円形の嵌込部材の実施の形態の一例を示す平面図である。
【図７】正六角形組子の実施の形態の他の例を示す平面図である。
【図８】正五角形の嵌込部材の実施の形態の一例を示す平面図である。
【符号の説明】
１  組子飾り
２  組子片
２１  係合部
３  球面状正六角形組子
３１  正六角形組子
４  正五角形の孔
４１  円形の孔
５  治具
６  台座
６１  突部
６２  弾性リング
７  照明機器
７１  電源コード
７２  ソケット
７３  照明ランプ
７４  筒体
８  円形の嵌込部材
８１  リング
９  正五角形の嵌込部材
９１  正五角形の枠体
【図１】
0004080184.tif 000002
【図２】
0004080184.tif 000003
【図３】
0004080184.tif 000004
【図４】
0004080184.tif 000005
【図５】
0004080184.tif 000006
【図６】
0004080184.tif 000007
【図７】
0004080184.tif 000008
【図８】
0004080184.tif 000009